(57)【要約】【課題】それぞれの監視カメラを必要な時に起動し、監視カメラ全体の消費電力の低減を図りながら実効的な監視を行って使い勝手を向上する。【解決手段】第１のカメラは、第１の撮像エリアで人物を検知すると、第１の検知通知を親機に送り、スリープモードからスタンバイモードに移行して第１の撮像エリアの撮像映像の親機への送信を開始する。親機は、第１の検知通知に応じて、第１のカメラ以外の他のカメラにスタンバイモードへの移行指示を通知する。他のカメラは、スタンバイモードへの移行指示に応じて、スリープモードからスタンバイモードに移行し、第２の撮像エリアの撮像映像のバッファリングを開始し、スタンバイモード中に第２の撮像エリアで人物を検知すると、人物の第２の検知通知を親機に送り、第２の撮像エリアで人物を検知した時点より第１の所定時間前からバッファリングされた第２の撮像エリアの撮像映像の親機への送信を開始する。【選択図】図５Ｂ
2019054383.tif 000002
【特許請求の範囲】
【請求項１】
複数台のカメラと、それぞれの前記カメラの動作モードを制御する親機と、が通信可能な監視カメラシステムであって、
前記複数台のカメラのうち第１のカメラは、
第１の撮像エリアで人物を検知すると、前記人物の第１の検知通知を前記親機に送るとともに、前記動作モードをスリープモードからスタンバイモードに移行して前記第１の撮像エリアの撮像映像の前記親機への送信を開始し、
前記親機は、
前記第１のカメラから送られた前記第１の検知通知に応じて、前記複数台のカメラのうち前記第１のカメラ以外の他のカメラに前記スタンバイモードへの移行指示を通知し、
前記他のカメラは、
前記親機から送られた前記スタンバイモードへの移行指示に応じて、前記動作モードを前記スリープモードから前記スタンバイモードに移行するとともに、第２の撮像エリアの撮像映像のバッファリングを開始し、
前記スタンバイモード中に前記第２の撮像エリアで前記人物を検知すると、前記人物の第２の検知通知を前記親機に送るとともに、前記第２の撮像エリアで前記人物を検知した時点より第１の所定時間前からバッファリングされた撮像映像を含む前記第２の撮像エリアの撮像映像の前記親機への送信を開始する、
監視カメラシステム。
【請求項２】
前記第１のカメラは、
前記スリープモード中に前記人物を検知可能な第１のセンサを有し、前記第１のセンサにより前記第１の撮像エリアで前記人物を検知し、
前記他のカメラは、
前記スリープモード中に前記人物を検知可能な第２のセンサを有し、前記第２のセンサにより前記第２の撮像エリアで前記人物を検知する、
請求項１に記載の監視カメラシステム。
【請求項３】
前記親機は、
前記第１のカメラから送られた前記第１の撮像エリアの撮像映像の記録部への記録を開始し、
前記他のカメラから送られた、前記第１の所定時間前からバッファリングされた撮像映像を含む前記第２の撮像エリアの撮像映像の前記記録部への記録を開始する、
請求項１又は２に記載の監視カメラシステム。
【請求項４】
前記第１のカメラは、
前記人物を検知してから第２の所定時間にわたって前記人物を検知しなかった場合、前記第１の撮像エリアの撮像映像の記録停止指示を前記親機に送信し、
前記親機は、
前記第１のカメラから送られた前記記録停止指示に応じて、前記第１の撮像エリアの撮像映像の前記記録部への記録を停止する、
請求項３に記載の監視カメラシステム。
【請求項５】
前記他のカメラは、
前記第２の撮像エリアを撮像する第２のカメラと、第３の撮像エリアを撮像する第３のカメラとを含み、
前記親機は、
前記第２のカメラから送られた前記第２の検知通知を前記第３のカメラに転送し、
前記第３のカメラは、
前記親機から転送された前記第２の検知通知に応じて、前記第３の撮像エリアの撮像映像をバッファリングするためのバッファリング時間を延長して前記バッファリングを継続する、
請求項１に記載の監視カメラシステム。
【請求項６】
前記他のカメラは、
前記バッファリングを開始してから第３の所定時間にわたって前記人物を検知しなかった場合、前記第２の撮像エリアの撮像映像のバッファリングを停止する、
請求項１又は２に記載の監視カメラシステム。
【請求項７】
複数台のカメラと、それぞれの前記カメラの動作モードを制御する親機と、が通信可能な監視カメラシステムを用いた監視方法であって、
前記複数台のカメラのうち第１のカメラは、
第１の撮像エリアで人物を検知すると、前記人物の第１の検知通知を前記親機に送るとともに、前記動作モードをスリープモードからスタンバイモードに移行して前記第１の撮像エリアの撮像映像の前記親機への送信を開始し、
前記親機は、
前記第１のカメラから送られた前記第１の検知通知に応じて、前記複数台のカメラのうち前記第１のカメラ以外の他のカメラにスタンバイモードへの移行指示を通知し、
前記他のカメラは、
前記親機から送られた前記スタンバイモードへの移行指示に応じて、前記動作モードを前記スリープモードから前記スタンバイモードに移行するとともに、第２の撮像エリアの撮像映像のバッファリングを開始し、
前記スタンバイモード中に前記第２の撮像エリアで前記人物を検知すると、前記人物の第２の検知通知を前記親機に送るとともに、前記第２の撮像エリアで前記人物を検知した時点より第１の所定時間前からバッファリングされた前記第２の撮像エリアの撮像映像の前記親機への送信を開始する、
監視方法。
【発明の詳細な説明】
【技術分野】
【０００１】
本開示は、例えば人物の動きを検知する１つ以上のカメラを含む監視カメラシステム、及び監視カメラシステムを用いた監視方法に関する。
【背景技術】
【０００２】
近年、ホームセキュリティの一環として、例えば個宅内又はその周囲に防犯カメラ（言い換えると、監視カメラ）を１台以上設置し、それぞれの防犯カメラにより撮像された映像に人物（例えば来訪者、不審者）が映った場合にその映像を記録する監視カメラシステムが実現されている。
【０００３】
特許文献１には、屋内作業場所において単独作業を行う作業者の安全検査を行うことを目的として、画像処理により画像上に動いて入ってきた作業者が一定時間以上静止した状態を検出した場合に異常と判断することで、作業者の安全検査を行う作業者安全検査装置が提案されている。
【先行技術文献】
【特許文献】
【０００４】
【特許文献１】特開２００９−２３７６４８号公報
【発明の概要】
【発明が解決しようとする課題】
【０００５】
しかしながら、特許文献１では、上述したホームセキュリティの監視カメラシステムのように、複数台の監視カメラのそれぞれにより撮像された映像を用いて個宅に接近した人物（例えば来訪者、不審者）を監視することは考慮されていない。ここで、特許文献１に記載の技術を上述したホームセキュリティの監視カメラシステムに適用した例を想定する。この場合、例えばそれぞれの監視カメラは個宅に接近する人物がいる時間帯といない時間帯とに拘わらず常時撮像を行うので、監視カメラ全体における消費電力が増大するという課題があった。特に、監視カメラをバッテリ駆動で動作させる場合、電力消費量の増加により頻繁なバッテリの交換を余儀なくされ、監視カメラシステムとしての使い勝手が悪かった。
【０００６】
本開示は、上述した従来の状況に鑑みて案出され、複数台の監視カメラのそれぞれを常時動作させることなく、それぞれの監視カメラを監視の必要な時に起動するように制御し、監視カメラ全体の消費電力の低減を図りながらも実効的な監視を行って使い勝手を向上する監視カメラシステム及び監視方法を提供することを目的とする。
【課題を解決するための手段】
【０００７】
本開示は、複数台のカメラと、それぞれの前記カメラの動作モードを制御する親機と、が通信可能な監視カメラシステムであって、前記複数台のカメラのうち第１のカメラは、第１の撮像エリアで人物を検知すると、前記人物の第１の検知通知を前記親機に送るとともに、前記動作モードをスリープモードからスタンバイモードに移行して前記第１の撮像エリアの撮像映像の前記親機への送信を開始し、前記親機は、前記第１のカメラから送られた前記第１の検知通知に応じて、前記複数台のカメラのうち前記第１のカメラ以外の他のカメラに前記スタンバイモードへの移行指示を通知し、前記他のカメラは、前記親機から送られた前記スタンバイモードへの移行指示に応じて、前記動作モードを前記スリープモードから前記スタンバイモードに移行するとともに、第２の撮像エリアの撮像映像のバッファリングを開始し、前記スタンバイモード中に前記第２の撮像エリアで前記人物を検知すると、前記人物の第２の検知通知を前記親機に送るとともに、前記第２の撮像エリアで前記人物を検知した時点より第１の所定時間前からバッファリングされた撮像映像を含む前記第２の撮像エリアの撮像映像の前記親機への送信を開始する、監視カメラシステムを提供する。
【０００８】
また、本開示は、複数台のカメラと、それぞれの前記カメラの動作モードを制御する親機と、が通信可能な監視カメラシステムを用いた監視方法であって、前記複数台のカメラのうち第１のカメラは、第１の撮像エリアで人物を検知すると、前記人物の第１の検知通知を前記親機に送るとともに、前記動作モードをスリープモードからスタンバイモードに移行して前記第１の撮像エリアの撮像映像の前記親機への送信を開始し、前記親機は、前記第１のカメラから送られた前記第１の検知通知に応じて、前記複数台のカメラのうち前記第１のカメラ以外の他のカメラにスタンバイモードへの移行指示を通知し、前記他のカメラは、前記親機から送られた前記スタンバイモードへの移行指示に応じて、前記動作モードを前記スリープモードから前記スタンバイモードに移行するとともに、第２の撮像エリアの撮像映像のバッファリングを開始し、前記スタンバイモード中に前記第２の撮像エリアで前記人物を検知すると、前記人物の第２の検知通知を前記親機に送るとともに、前記第２の撮像エリアで前記人物を検知した時点より第１の所定時間前からバッファリングされた前記第２の撮像エリアの撮像映像の前記親機への送信を開始する、監視方法を提供する。
【発明の効果】
【０００９】
本開示によれば、複数台の監視カメラのそれぞれを常時動作させることなく、それぞれの監視カメラを監視の必要な時に起動するように制御でき、監視カメラ全体の消費電力の低減を図りながらも実効的な監視を行って使い勝手を向上できる。
【図面の簡単な説明】
【００１０】
【図１】本実施の形態に係る監視カメラシステムを構成するアクセスポイント、カメラがユーザの個宅内に設置されたレイアウト例を示す図
【図２】本実施の形態に係る監視カメラシステムのシステム構成例を示す図
【図３】アクセスポイントの内部構成の一例を示すブロック図
【図４】カメラの内部構成の一例を示すブロック図
【図５Ａ】不審者がカメラ１の撮像エリアに接近した後にカメラ２の撮像エリアに回り込んだ時の侵入経路の一例を示す説明図
【図５Ｂ】図５Ａに示す不審者の侵入経路に対応するアクセスポイント及びそれぞれのカメラの動作手順の一例を示すシーケンス図
【図６Ａ】不審者がカメラ１の撮像エリアに接近した後に他のカメラに接近しないで個宅から離れた時の侵入経路の一例を示す説明図
【図６Ｂ】図６Ａに示す不審者の侵入経路に対応するアクセスポイント及びそれぞれのカメラの動作手順の一例を示すシーケンス図
【発明を実施するための形態】
【００１１】
以下、適宜図面を参照しながら、本開示に係る監視カメラシステム及び監視方法を具体的に開示した実施の形態（以下、本実施の形態という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１２】
本実施の形態に係る監視カメラシステムは、例えば監視カメラシステムのユーザ（以下、「ユーザ」と略記する）の自宅（つまり、個宅）の敷地内（例えば屋内や、庭、ガレージ等の敷地内の屋外も含む）に、複数台の監視カメラが設置された構成である。但し、本実施の形態に係る監視カメラシステムは、ユーザの個宅の敷地内の防犯用途に限定されるものではなく、例えば店舗、工場、オフィス等の事業所のうちいずれかにおける防犯用途として使用されてもよい。
【００１３】
なお、本開示は、監視カメラシステムに限定されず、監視カメラシステムを用いた監視方法として表現することも可能であり、また監視カメラシステムを構成するアクセスポイントや監視カメラである装置のカテゴリ、あるいは、アクセスポイントや監視カメラにそれぞれ異なる所定の処理を実行させるためのプログラムのカテゴリとして規定することもできる。
【００１４】
図１は、本実施の形態に係る監視カメラシステム１００を構成するアクセスポイント１０、カメラ３０Ａ，３０Ｂ，３０Ｃ，３０Ｄがそれぞれユーザの個宅内に設置されたレイアウト例を示す図である。図２は、本実施の形態に係る監視カメラシステム１００のシステム構成例を示す図である。監視カメラシステム１００は、例えばユーザの個宅内に設置され、スマートフォン５０と無線接続されるルータ２０と複数台のカメラ３０Ａ，３０Ｂ，３０Ｃ，３０Ｄとがアクセスポイント１０を介して互いに通信可能に接続して構成される。図１では、スマートフォン５０及びルータ２０の図示は省略されている。
【００１５】
アクセスポイント１０（親機の一例）は、監視カメラシステム１００を構成する各種の機器間の通信に関するゲートウェイとしての役割を有する（図２参照）。つまり、アクセスポイント１０は、監視カメラシステム１００の全体の動作を制御する制御装置であり、例えばカメラ３０との間ではＷｉｆｉ（登録商標）などの無線ＬＡＮ（Local Area Network）を用いて無線接続され、ルータ２０との間では有線ＬＡＮを用いて有線接続される。
【００１６】
アクセスポイント１０は、複数台のカメラ３０の動作モードを制御する機能を有したり、それぞれのカメラ３０により撮像された撮像映像のデータを記録する機能を有したりする。動作モードは、カメラ３０の動作状態を規定するモードであり、例えばスリープモードとスタンバイモードとを含む。スリープモードは、カメラ３０の各部（図４参照）のうち赤外線センサ３１３以外の各部の動作を一時的に停止した状態である。スタンバイモードは、赤外線センサ３１３を含めてカメラ３０の各部が動作可能な状態である。
【００１７】
ルータ２０は、アクセスポイント１０との間ではＥｔｈｅｒｎｅｔ（登録商標）などの有線ＬＡＮを用いて有線接続され、スマートフォン５０との間ではＷｉｆｉ（登録商標）などの無線ＬＡＮを用いて無線接続される。ルータ２０は、複数台のカメラ３０とスマートフォン５０との間、又は、アクセスポイント１０とスマートフォン５０との間で、データ又は情報の中継処理を行う。ルータ２０は、監視カメラシステム１００を構成するものであり、ユーザの個宅内に設置される。
【００１８】
４台のカメラ３０Ａ，３０Ｂ，３０Ｃ，３０Ｄは、いわゆる監視カメラ（防犯カメラ）であり、アクセスポイント１０及びルータ２０を介してスマートフォン５０との間で通話及び通信が可能な機能を備え、無線ＬＡＮを用いてアクセスポイント１０との間で無線接続される。図１では、カメラとして、例えば個宅の玄関を主な撮像エリア（第１の撮像エリアの一例）として撮像する玄関用のカメラ３０Ａ、個宅の外壁などに設置されて個宅の周囲（例えば庭、ガレージ）をそれぞれ異なる撮像エリアとして撮像するカメラ３０Ｂ，３０Ｃ，３０Ｄが設置されている。
【００１９】
また図１に図示は省略されているが、個宅内の所定場所（例えば、廊下、部屋内）に３０Ａ〜３０Ｄと同様のカメラが１台以上更に設置されてよい。以下の説明において、カメラ３０Ａ，３０Ｂ，３０Ｃ，３０Ｄの種類を特に区別する必要が無い場合、「カメラ３０」と総称する。
【００２０】
例えば図１に示すように、カメラ３０Ａは、スタンバイモード中、ユーザの個宅の玄関を撮像エリアとして含むように撮像する。言い換えると、カメラ３０Ａは、スリープモード中、消費電力の増大を抑制するために、カメラ３０Ａの撮像エリアの撮像を行わない。
【００２１】
同様に、カメラ３０Ｂは、スタンバイモード中、ユーザの個宅の周囲（例えば和室の外壁部分の一帯）を撮像エリアとして含むように撮像する。言い換えると、カメラ３０Ｂは、スリープモード中、消費電力の増大を抑制するために、カメラ３０Ｂの撮像エリアの撮像を行わない。
【００２２】
同様に、カメラ３０Ｃは、スタンバイモード中、ユーザの個宅の周囲（例えばリビングルームの外壁部分の一帯）を撮像エリアとして含むように撮像する。言い換えると、カメラ３０Ｃは、スリープモード中、消費電力の増大を抑制するために、カメラ３０Ｃの撮像エリアの撮像を行わない。
【００２３】
同様に、カメラ３０Ｄは、スタンバイモード中、ユーザの個宅の周囲（例えば庭一帯）を撮像エリアとして含むように撮像する。言い換えると、カメラ３０Ｄは、スリープモード中、消費電力の増大を抑制するために、カメラ３０Ｄの撮像エリアの撮像を行わない。
【００２４】
本実施の形態では、例えば監視カメラシステム１００を構成する個々のカメラ３０の個宅内の天井、壁面、あるいは、個宅外のポール、外壁などへの取り付けを簡易化するために、カメラ３０はそれぞれバッテリ駆動で構成される。即ち、詳しくは図４を参照して後述するが、カメラ３０の各部は、電池３１４から動作に必要となる電力の供給を受けるものであり、商用電源からＡＣアダプタなどを介して常時電力の供給を受けるものではない。従って、本実施の形態の監視カメラシステム１００を具体的に実現する際には、個々のカメラ３０がバッテリ駆動であるために、個々のカメラ３０の消費電力が増大しないように消費電力の抑制を図ることが求められる。そのために、上述したように、個々のカメラ３０は、例えばアクセスポイント１０からの指示を受信していない場合には、後述する赤外線センサ３１３以外の各部の動作が休止中となるスリープモード（言い換えると、省電力モード）である。このため、本実施の形態のカメラ３０は、商用電源から常時電力の供給を受ける場合の取り付け時に比べて、ユーザの個宅内に取り付ける際の煩雑さが相当に軽減される。
【００２５】
カメラ３０は、バッテリ駆動で構成されるため、アクセスポイント１０から動作モードの移行指示（例えば、スタンバイモードへの移行指示）を受信していない場合には、動作モードをスリープモードに設定する。言い換えると、カメラ３０は、アクセスポイント１０から動作モードの移行指示（例えば、スタンバイモードへの移行指示）を受信すると、動作モードをスリープモードからスタンバイモードに移行する。なお、カメラ３０は、アクセスポイント１０から動作モードの移行指示（例えば、スタンバイモードへの移行指示）を受信しなくても、例えばカメラ３０自身が有する赤外線センサ３１３により人物又は動きを検出した場合に、スリープモードからスタンバイモードに自律的に移行してよい。これにより、カメラ３０は、アクセスポイント１０からの動作モードの移行指示を受信しない場合又は受信できない場合でも、自らの動作モードをスリープモードからスタンバイモードに自律的に移行でき、個宅のセキュリティ向上を図ることができる。反対に、カメラ３０は、赤外線センサ３１３によって一定時間、人物又は動きを検出しなかった場合には、自らの動作モードをスタンバイモードからスリープモードに自律的に移行してよい。これにより、カメラ３０は、アクセスポイント１０からの動作モードの移行指示を受信しない場合又は受信できない場合でも、自らの動作モードをスタンバイモードからスリープモードに自律的に移行できて、省電力を図ることができる。
【００２６】
スマートフォン５０は、無線ＬＡＮを用いてルータ２０（例えば無線ルータ）を介してアクセスポイント１０との間で、局所的に（言い換えると、ユーザの個宅内で）無線接続される。従って、スマートフォン５０は、ルータ２０及びアクセスポイント１０を介して、個宅に設置された各種のカメラ３０との間でデータもしくは情報の送受信（例えば、通話機能や通信機能）を実行できる。
【００２７】
また、スマートフォン５０は、例えば３Ｇ（第３世代移動通信システム）、４Ｇ（第４世代移動通信システム）、５Ｇ（第５世代移動通信システム）等の各種の無線通信規格を用いた広帯域携帯電話網（いわゆる、キャリア網）を介して、他の携帯電話機やスマートフォン等との間で無線接続される。従って、スマートフォン５０は、広帯域携帯電話網を介して無線接続された他の携帯電話機やスマートフォン等との間で、データもしくは情報の送受信を実行できる。
【００２８】
図３は、アクセスポイント１０の内部構成の一例を示すブロック図である。アクセスポイント１０は、制御部１０１と、有線ＬＡＮ通信Ｉ／Ｆ部１０３と、無線ＬＡＮ通信Ｉ／Ｆ部１０５と、操作部１０７と、ＬＥＤ（Light Emitting Diode）１０９と、外部記録媒体１１１と、電源部１１３とを含む構成である。
【００２９】
制御部１０１は、プロセッサ（例えばＣＰＵ（Central Processing Unit）、ＭＰＵ（Micro Processing Unit）又はＤＳＰ（Digital Signal Processor））を用いて構成され、アクセスポイント１０の各部の動作を統括して制御するための信号処理、他の各部との間のデータの入出力処理、データの演算処理及びデータの記憶処理を行う。
【００３０】
制御部１０１は、例えば操作部１０７からの操作信号に基づいて、各種の設定（例えば、アクセスポイント１０と通信可能なカメラ３０の新規登録や、各種の設定情報のリセット）を行う。
【００３１】
また、制御部１０１は、カメラ３０から送信された撮像映像のデータを、無線ＬＡＮ通信Ｉ／Ｆ部１０５を介して取得し、外部記録媒体１１１に書き込んで記録（言い換えると、録画）する。
【００３２】
また、制御部１０１は、アクセスポイント１０の動作状態（例えば、アクセスポイント１０の電源のオンオフの状態、外部記録媒体１１１へのアクセスの有無の状態）に応じた点灯もしくは点滅のパターンに従って、ＬＥＤ１０９を点灯もしくは点滅する。
【００３３】
有線ＬＡＮ通信Ｉ／Ｆ部１０３は、Ｅｔｈｅｒｎｅｔ（登録商標）などの有線ＬＡＮを用いてルータ２０との間で有線接続され、ルータ２０との間でデータ又は情報の送受信を行う。
【００３４】
無線ＬＡＮ通信Ｉ／Ｆ部１０５は、Ｗｉｆｉ（登録商標）などの無線ＬＡＮを用いてカメラ３０との間で無線接続され、カメラ３０との間でデータ又は情報の送受信を行う。
【００３５】
操作部１０７は、アクセスポイント１０に対するユーザの操作を受け付けて、その操作に基づく操作信号を制御部１０１に送る。操作部１０７は、例えば、アクセスポイント１０と通信可能なカメラ３０の新規登録を指示するためのボタンと、各種の設定情報のリセット（削除）を指示するためのボタンとを含む。
【００３６】
ＬＥＤ１０９は、制御部１０１の制御の下で、アクセスポイント１０の動作状態（例えば、アクセスポイント１０の電源のオンオフの状態、外部記録媒体１１１へのアクセスの有無の状態）に応じた点灯もしくは点滅のパターンに従って、点灯もしくは点滅する。
【００３７】
外部記録媒体１１１（記録部の一例）は、半導体メモリ（例えばＳＤカード）などの記録媒体を用いて構成され、制御部１０１の制御の下で、カメラ３０から送信された撮像映像のデータを記録（言い換えると、録画）する。
【００３８】
電源部１１３は、例えば商用電源から常時電力の供給を受け、アクセスポイント１０の各部に対して個々の動作に必要な電力を供給する。
【００３９】
図４は、カメラ３０の内部構成の一例を示すブロック図である。カメラ３０は、制御部３０９と、記憶部３０３と、操作部３０５とを含む構成であり、撮像に関する動作を行って記憶部３０３に記憶したり、ユーザ又は第三者（例えば、ユーザの個宅に接近した人物）の入力操作を操作部３０５において受け付けたりする。
【００４０】
記憶部３０３は、例えばＲＡＭ（Random Access Memory）及びＲＯＭ（Read Only Memory）を用いて構成され、カメラ３０の動作に必要なプログラム及びデータをＲＯＭで保持するとともに、制御部３０９におけるプログラム及びデータを用いた各種の処理実行時にＲＡＭにデータ又は情報を一時的に保持する。例えば、記憶部３０３は、カメラ３０がスタンバイモードに移行した後に行う撮像映像のデータのバッファリング（後述参照）の際に、その撮像映像のデータを一時的にバッファリング（格納）してもよい。
【００４１】
操作部３０５は、ユーザ又は第三者（例えば、ユーザの個宅に接近した人物）の操作を受け付け可能なボタンを用いて構成され、ユーザ又は第三者の操作に基づく操作信号を制御部３０９に送る。
【００４２】
制御部３０９は、プロセッサ（例えばＣＰＵ、ＭＰＵ又はＤＳＰ）を用いて構成され、カメラ３０の各部の動作を統括して制御するための信号処理、他の各部との間のデータの入出力処理、データの演算処理及びデータの記憶処理を行う。
【００４３】
制御部３０９は、例えば操作部３０５からの操作信号に基づいて、各種の設定（例えば、カメラ３０の撮像エリアを規定する画角の設定）もしくは処理を実行する。
【００４４】
また、制御部３０９は、例えばスリープモード中にアクセスポイント１０から送信されたスタンバイモードへの移行指示を取得すると、カメラ３０の動作モードをスリープモードからスタンバイモードに移行（つまり、切り替え）する。
【００４５】
また、制御部３０９は、赤外線センサ３１３により人物（例えば、ユーザの個宅付近に接近した不審者）を検知してから一定時間にわたってその人物を検知しなくなると、カメラ３０の動作モードをスタンバイモードからスリープモードに移行（つまり、切り替え）する。
【００４６】
カメラ３０は、無線ＬＡＮ制御部３２１と無線ＬＡＮ通信Ｉ／Ｆ部３２２とを有する。カメラ３０は、無線ＬＡＮ制御部３２１と無線ＬＡＮ通信Ｉ／Ｆ部３２２とを用いて、無線ＬＡＮによって無線接続されたアクセスポイント１０を介して、ルータ２０やスマートフォン５０との間で、カメラ３０により撮像された撮像映像のデータや、カメラ３０により収音された音声のデータを送信する。また、カメラ３０は、無線ＬＡＮ制御部３２１と無線ＬＡＮ通信Ｉ／Ｆ部３２２とを用いて、無線ＬＡＮによって無線接続されたアクセスポイント１０を介して、ルータ２０やスマートフォン５０との間で、スマートフォン５０から送信された各種のデータ、情報もしくは処理に関する指示を受信する。
【００４７】
カメラ３０は、音声バス３０７と、音声入出力制御部３０４と、スピーカ３２９と、マイク３２８とを有し、例えばスマートフォン５０との間で、音声の入出力を行って通話の処理を実行する。マイク３２８により収音された音声の信号（音声のデータ）は、音声バス３０７を介して映像メモリ制御部３１６に入力され、撮像部３１２により撮像された撮像画像の信号（撮像画像のデータ）とともに映像として、映像メモリ３１５にて一時的に保存（バッファリング）又は保存される。また、カメラ３０は、映像メモリ３１５にバッファリング又は保存された撮像映像のデータをアクセスポイント１０に送信する際、撮像映像のデータを映像メモリ制御部３１６において映像メモリ３１５から読み出して無線ＬＡＮ制御部３２１に出力する。無線ＬＡＮ制御部３２１は、映像メモリ３１５から読み出された撮像映像のデータを、無線ＬＡＮ通信Ｉ／Ｆ部３２２及びアンテナを介してアクセスポイント１０に送信する。
【００４８】
カメラ３０は、撮像部３１２と、映像メモリ制御部３１６と、映像メモリ３１５とを有し、撮像部３１２により撮像された撮像エリアの撮像映像のデータを、映像メモリ制御部３１６を介して映像メモリ３１５に記憶する。撮像部３１２は、レンズ及び撮像素子（例えばＣＣＤ（Charged Coupled Device）、又はＣＭＯＳ（Complementary Metal Oxide Semiconductor）等のイメージセンサ）を用いて構成される。映像メモリ３１５は、カメラ３０がスタンバイモードに移行した後に行う撮像映像のデータのバッファリング（後述参照）の際に、その撮像映像のデータを一時的にバッファリング（格納）する。
【００４９】
カメラ３０は、人感センサの一例として、ＰＩＲ（Passive Infra Red）センサである赤外線センサ３１３（第１センサ，第２のセンサの一例）を一体に内蔵する。赤外線センサ３１３は、人物が発する熱（例えば、赤外線）の変化を検知することで、既定の赤外線センサ３１３の検知対象領域内における人物の存在を感知（検知）する。赤外線センサ３１３は、検知対象領域内における人物の存在を検知した場合には、人物の検知通知を制御部３０９に送る。
【００５０】
本実施の形態において、カメラ３０は電池３１４によって駆動されるが、スタンバイモード中は勿論であるが、スリープモード中であっても赤外線センサ３１３は動作している。言い換えると、赤外線センサ３１３は、カメラ３０の動作モードがスリープモードやスタンバイモードのいずれでも、カメラ３０の電源がオンである間には常時動作しており、検知対象領域内の人物の存在を感知する。
【００５１】
電池３１４は、カメラ３０の各部に必要な電力を供給する。電池３１４は、カメラ３０の電源として用いられる、例えば４本の単１乾電池である。なお、電池３１４は、マンガン乾電池、アルカリ乾電池等の一次電池だけでなく、ニッケル水素バッテリ、リチウムイオン電池、鉛バッテリ等の充電可能な二次電池を用いてもよい。
【００５２】
次に、本実施の形態に係る監視カメラシステム１００の動作について、第１のユースケース（図５Ａ，図５Ｂ参照）と第２のユースケース（図６Ａ，図６Ｂ参照）を説明する。
【００５３】
（第１のユースケース）
図５Ａは、不審者ＳＵＳがカメラ１の撮像エリアに接近した後にカメラ２の撮像エリアに回り込んだ時の侵入経路の一例を示す説明図である。図５Ｂは、図５Ａに示す不審者ＳＵＳの侵入経路に対応するアクセスポイント１０及びそれぞれのカメラ３０の動作手順の一例を示すシーケンス図である。図５Ｂの説明を分かり易くするために、例えば図５Ｂのカメラ１は図５Ａのカメラ３０Ａであり、図５Ｂのカメラ２は図５Ａのカメラ３０Ｄであり、図５Ｂのカメラ３は図５Ａのカメラ３０Ｂとするが、これらの組み合わせの例に限定されない。
【００５４】
図５Ａでは、図１及び図２に示す監視カメラシステム１００が設置されたユーザの個宅の周囲にユーザの知らない不審者ＳＵＳが、カメラ３０Ａの設置された玄関の近くに接近し、その後、カメラ３０Ｄの設置された庭に回り込んだ経路で侵入している様子が示されている。
【００５５】
図５Ｂにおいて、全てのカメラ１，２，３（つまり、カメラ３０Ａ，３０Ｄ，３０Ｂ）は、電源はオンしているが全てスリープモードである（Ｓ１）。
【００５６】
全てのカメラ３０がスリープモードである中、不審者ＳＵＳ（言い換えると、ユーザの個宅の敷地内への侵入者）が例えばカメラ３０Ａの撮像エリア（第１の撮像エリアの一例）に接近し、カメラ３０Ａの赤外線センサ３１３により不審者ＳＵＳの存在が検知されたとする（Ｓ２）。カメラ３０Ａは、赤外線センサ３１３により不審者ＳＵＳが検知された旨の検知通知を制御部３０９において取得すると、その検知通知（第１の検知通知の一例）をアクセスポイント１０に送信するとともに（Ｓ３ａ）、カメラ３０Ａの動作モードを制御部３０９においてスリープモードからスタンバイモードに移行する。また、カメラ３０Ａは、カメラ３０Ａの動作モードをスタンバイモードに移行した後、撮像部３１２により撮像されたカメラ３０Ａの撮像エリアの撮像映像のデータのアクセスポイント１０への送信を開始する（Ｓ３ｂ）。なお、カメラ３０ＡがステップＳ３ｂにおいて撮像映像のデータをアクセスポイント１０に送信する処理は、例えばカメラ３０Ａが不審者ＳＵＳを検知してから一定時間（第２の所定時間の一例）にわたって人物を検知しなくなるまで継続される。
【００５７】
アクセスポイント１０は、ステップＳ３ｂにおいてカメラ３０Ａから送られた撮像映像のデータを受信すると、その撮像映像のデータの外部記録媒体１１１への記録（つまり、録画）を制御部１０１において開始する（Ｓ４）。また、アクセスポイント１０は、ステップＳ３ａにおいてカメラ３０Ａから送られた検知通知を受信すると、その検知通知に応じて、そのカメラ３０Ａ以外の他のカメラ（例えば、カメラ２に対応するカメラ３０Ｄ、カメラ３に対応するカメラ３０Ｂ）に、スタンバイモードへの移行指示をそれぞれ通知する（Ｓ５）。
【００５８】
カメラ２に対応するカメラ３０Ｄは、ステップＳ５においてアクセスポイント１０から送られたスタンバイモードへの移行指示を受信すると、その移行指示に従って、動作モードを制御部３０９においてスリープモードからスタンバイモードに移行する。また、カメラ３０Ｄは、カメラ３０Ｄの動作モードをスタンバイモードに移行した後、撮像部３１２により撮像されたカメラ３０Ｄの撮像エリア（第２の撮像エリアの一例）の撮像映像のバッファリング（いわゆる、プレレコーディング）を制御部３０９において開始し（Ｓ６）、映像メモリ３１５に一時的に格納して撮像映像のバッファリングを継続する（Ｓ７）。これにより、カメラ３０Ｄは、後述するように、カメラ３０Ｄの撮像エリアの撮像映像のデータをアクセスポイント１０に送信する時点（具体的には、ステップＳ８の処理実行時点）よりも直近の所定時間（例えば数秒、第１の所定時間の一例）前に撮像された撮像映像のデータを常時格納して保持できる。
【００５９】
同様に、カメラ３に対応するカメラ３０Ｂは、ステップＳ５においてアクセスポイント１０から送られたスタンバイモードへの移行指示を受信すると、その移行指示に従って、動作モードを制御部３０９においてスリープモードからスタンバイモードに移行する。また、カメラ３０Ｂは、カメラ３０Ｂの動作モードをスタンバイモードに移行した後、撮像部３１２により撮像されたカメラ３０Ｂの撮像エリア（第３の撮像エリアの一例）の撮像映像のバッファリング（いわゆる、プレレコーディング）を制御部３０９において開始し（Ｓ６）、映像メモリ３１５に一時的に格納して撮像映像のバッファリングを継続する（Ｓ７）。これにより、カメラ３０Ｂは、カメラ３０Ｂの撮像エリアの撮像映像のデータをアクセスポイント１０に送信する必要がある時点よりも直近の所定時間（例えば数秒、第１の所定時間の一例）前に撮像された撮像映像のデータを常時格納して保持できる。
【００６０】
ここで、不審者ＳＵＳがカメラ３０Ａの設置された玄関の近くからカメラ３０Ｄの設置された庭に回り込んだ場合に、カメラ３０Ｄの赤外線センサ３１３によって不審者ＳＵＳが検知されたとする（Ｓ８）。カメラ３０Ｄは、赤外線センサ３１３により不審者ＳＵＳが検知された旨の検知通知を制御部３０９において取得すると、その検知通知（第２の検知通知の一例）をアクセスポイント１０に送信するとともに（Ｓ９ａ）、ステップＳ６以降にバッファリングされたカメラ３０Ｄの撮像エリアの撮像映像のデータのアクセスポイント１０への送信を開始する（Ｓ９ｂ）。なお、カメラ３０ＤがステップＳ９ｂにおいて撮像映像のデータをアクセスポイント１０に送信する処理は、例えばカメラ３０Ｄが不審者ＳＵＳを検知してから一定時間（第２の所定時間の一例）にわたって人物を検知しなくなるまで継続される。ここで本実施の形態において特徴的であるのは、カメラ３０Ｄは、ステップＳ９ｂでは、ステップＳ８において不審者ＳＵＳが検知された時点以降の撮像映像のデータだけでなく、その不審者ＳＵＳが検知された時点よりも前に既にバッファリングされた所定時間（例えば数秒、第１の所定時間の一例）前の撮像映像のデータを含めてアクセスポイント１０に送信することである。これにより、カメラ３０Ｄは、ステップＳ８の時点で不審者ＳＵＳを検知した時点よりも前（言い換えると、不審者ＳＵＳがカメラ３０Ｄの撮像エリアに近づいてくる途中）の撮像映像のデータをアクセスポイント１０に送信してアクセスポイント１０に録画させることが可能となる。
【００６１】
アクセスポイント１０は、ステップＳ９ａにおいてカメラ３０Ｄから送られた撮像映像のデータを受信すると、その撮像映像のデータの外部記録媒体１１１への記録（つまり、録画）を制御部１０１において開始する（Ｓ１０）。上述したように、アクセスポイント１０は、カメラ３０ＤがステップＳ８の時点で不審者ＳＵＳを検知した時点よりも前（言い換えると、不審者ＳＵＳがカメラ３０Ｄの撮像エリアに近づいてくる途中）の撮像映像のデータを記録（つまり、録画）できる。従って、アクセスポイント１０は、例えば不審者ＳＵＳがカメラ３０Ａの撮像エリアから個宅の敷地内を回り込んでカメラ３０Ｄの撮像エリアに近づいた時の行動を特定可能な撮像映像を保存でき、ユーザの個宅を監視エリアとした実効的な監視を効率的に行うことができる。また、アクセスポイント１０は、ステップＳ９ａにおいてカメラ３０Ｄから送られた検知通知を受信すると、その検知通知を他のカメラ（例えば、カメラ１に対応するカメラ３０Ａ、カメラ３に対応するカメラ３０Ｂ）にそれぞれ転送して通知する（Ｓ１１）。
【００６２】
カメラ３０Ｂは、ステップＳ１１において転送された検知通知（つまり、カメラ３０Ｄの撮像エリアにおいて不審者ＳＵＳが検知された旨の通知）を受信すると、ステップＳ７において開始した撮像映像のバッファリング時間を延長することを制御部３０９において決定する（Ｓ１２）。つまり、ユーザの個宅の外壁などに設置された他のカメラ（図５Ｂの例ではカメラ３０Ｄ）において不審者ＳＵＳが検知されたので、個宅の周囲に不審者ＳＵＳが未だ居残っている可能性があるため、未だ不審者ＳＵＳが撮像エリアに接近していない他のカメラ（例えば、カメラ３０Ｂ）では撮像映像のバッファリングが継続される（Ｓ７）。
【００６３】
一方、カメラ３０Ａは、ステップＳ２において不審者ＳＵＳを検知してから一定時間（第２の所定時間の一例）にわたって人物（例えば不審者ＳＵＳ）を検知しなくなった場合には、撮像部３１２により撮像された撮像映像のデータのアクセスポイント１０への送信を制御部３０９において停止し（Ｓ１３）、更に、カメラ３０Ａの撮像映像のデータの記録を停止する旨の録画停止指示をアクセスポイント１０に送信する（Ｓ１４）。これにより、アクセスポイント１０は、ステップＳ１４においてカメラ３０Ａから送信された録画停止指示に応じて、カメラ３０Ａにより撮像された撮像映像のデータの外部記録媒体１１１への記録（つまり、録画）を停止できるので、例えば監視時において記録の必要性が低い状態（例えば無人状態）の撮像映像のデータの録画に基づく記録容量の増大や逼迫を効果的に抑制できる。なお、図５Ｂでは図示が省略されているが、カメラ３０Ａは、一定時間（第２の所定時間の一例）にわたってカメラ３０Ａの周囲に人物（例えば不審者ＳＵＳ）の検知をしていないので、ステップＳ１４の後にはすぐに動作モードをスタンバイモードからスリープモードに移行してよい。これにより、カメラ３０Ａの消費電力の増大を抑制可能となる。
【００６４】
（第２のユースケース）
図６Ａは、不審者ＳＵＳがカメラ１の撮像エリアに接近した後に他のカメラに接近しないで個宅から離れた時の侵入経路の一例を示す説明図である。図６Ｂは、図６Ａに示す不審者ＳＵＳの侵入経路に対応するアクセスポイント１０及びそれぞれのカメラ３０の動作手順の一例を示すシーケンス図である。図６Ｂの説明を分かり易くするために、例えば図６Ｂのカメラ１は図６Ａのカメラ３０Ａであり、図６Ｂのカメラ２は図６Ａのカメラ３０Ｄであり、図６Ｂのカメラ３は図６Ａのカメラ３０Ｂとするが、これらの組み合わせの例に限定されない。また、図６Ｂの説明において、図５Ｂの処理と同一の処理については同一のステップ番号を付与して説明を簡略化又は省略し、異なる内容について説明する。
【００６５】
図６Ａでは、図１及び図２に示す監視カメラシステム１００が設置されたユーザの個宅の周囲にユーザの知らない不審者ＳＵＳが、カメラ３０Ａの設置された玄関の近くに接近し、その後、その個宅から逃げるように走り去った様子が示されている。
【００６６】
図６Ｂにおいて、全てのカメラ１，２，３（つまり、カメラ３０Ａ，３０Ｄ，３０Ｂ）は、電源はオンしているが全てスリープモードである（Ｓ１）。
【００６７】
図６Ａに示すように、不審者ＳＵＳはカメラ３０Ａの撮像エリアにおいて検知されて以降は個宅から逃げるように走り去ったため、ステップＳ２において不審者ＳＵＳが検知されて以降はカメラ３０Ａ，３０Ｄ，３０Ｂのいずれでも検知されていない。
【００６８】
従って、カメラ３０Ａは、ステップＳ２において不審者ＳＵＳを検知してから一定時間（第２の所定時間の一例）にわたって人物（例えば不審者ＳＵＳ）を検知しなくなったため、撮像部３１２により撮像された撮像映像のデータのアクセスポイント１０への送信を制御部３０９において停止し（Ｓ１３）、更に、カメラ３０Ａの撮像映像のデータの記録を停止する旨の録画停止指示をアクセスポイント１０に送信する（Ｓ１４）。これにより、アクセスポイント１０は、ステップＳ１４においてカメラ３０Ａから送信された録画停止指示に応じて、カメラ３０Ａにより撮像された撮像映像のデータの外部記録媒体１１１への記録（つまり、録画）を停止する。また、カメラ３０Ａは、ステップＳ１４の後にすぐに動作モードをスタンバイモードからスリープモードに移行する（Ｓ１）。これにより、カメラ３０Ａの消費電力の増大を抑制可能となる。
【００６９】
同様に、カメラ３０Ｄは、ステップＳ６においてカメラ３０Ｄの撮像エリア（第２の撮像エリアの一例）の撮像映像のデータのバッファリングを開始してから一定時間（第３の所定時間の一例）にわたって人物（例えば不審者ＳＵＳ）を検知していないため、ステップＳ７において継続していた撮像映像のデータのバッファリングを停止する（Ｓ２１）。また、カメラ３０Ｄは、撮像映像のデータのバッファリングを停止した後、すぐに動作モードをスタンバイモードからスリープモードに移行する（Ｓ１）。これにより、カメラ３０Ｄは、周囲に誰もいない状態が一定時間続いているので、撮像映像のデータの無用なバッファリングを停止できてスリープモードに移行することで、カメラ３０Ｄにおける消費電力の増大を抑制できる。
【００７０】
同様に、カメラ３０Ｂは、ステップＳ６においてカメラ３０Ｂの撮像エリア（第３の撮像エリアの一例）の撮像映像のデータのバッファリングを開始してから一定時間（第３の所定時間の一例）にわたって人物（例えば不審者ＳＵＳ）を検知していないため、ステップＳ７において継続していた撮像映像のデータのバッファリングを停止する（Ｓ２１）。また、カメラ３０Ｂは、撮像映像のデータのバッファリングを停止した後、すぐに動作モードをスタンバイモードからスリープモードに移行する（Ｓ１）。これにより、カメラ３０Ｂは、周囲に誰もいない状態が一定時間続いているので、撮像映像のデータの無用なバッファリングを停止できてスリープモードに移行することで、カメラ３０Ｂにおける消費電力の増大を抑制できる。
【００７１】
以上により、本実施の形態に係る監視カメラシステム１００は、複数台のカメラ３０（例えば、カメラ３０Ａ，３０Ｂ，３０Ｃ，３０Ｄ）と、それぞれのカメラ３０の動作モードを制御するアクセスポイント１０と、が通信可能に構成される。複数台のカメラ３０のうちカメラ３０Ａ（第１のカメラの一例）は、カメラ３０Ａの撮像エリアで人物（例えば不審者ＳＵＳ）を検知すると、その人物の検知通知（第１の検知通知の一例）をアクセスポイント１０に送るとともに、動作モードをスリープモードからスタンバイモードに移行してカメラ３０Ａの撮像エリアの撮像映像のアクセスポイント１０への送信を開始する。アクセスポイント１０は、カメラ３０Ａから送られた検知通知に応じて、複数台のカメラ３０のうちカメラ３０Ａ以外の他のカメラ３０（例えばカメラ３０Ｂ，３０Ｃ，３０Ｄ）にスタンバイモードへの移行指示を通知する。他のカメラ３０は、アクセスポイント１０から送られたスタンバイモードへの移行指示に応じて、動作モードをスリープモードからスタンバイモードに移行するとともに、自己の撮像エリア（第２の撮像エリアの一例）の撮像映像のバッファリングを開始する。また、他のカメラ３０は、スタンバイモード中に自己の撮像エリアで人物（例えば不審者ＳＵＳ）を検知すると、その人物の検知通知（第２の検知通知の一例）をアクセスポイント１０に送るとともに、自己の撮像エリアでその人物を検知した時点より所定時間（第１の所定時間の一例）前からバッファリングされた撮像映像を含む自己の撮像エリアの撮像映像のアクセスポイント１０への送信を開始する。
【００７２】
これにより、監視カメラシステム１００は、複数台のカメラ３０のそれぞれを常時動作させることなく、それぞれのカメラ３０を監視の必要な時（例えば、不審者ＳＵＳがいずれかのカメラ３０Ａの撮像エリアにおいて検知された時）にスリープモードからスタンバイモードに移行（つまり、起動）するように効率的に制御できる。従って、監視カメラシステム１００は、監視カメラシステム１００を構成するカメラ３０全体の消費電力の低減を図りながらも実効的な監視を行って、監視カメラシステム１００の使い勝手を向上できる。
【００７３】
また、カメラ３０Ａは、スリープモード中に人物（例えば不審者ＳＵＳ）を検知可能な赤外線センサ３１３（第１のセンサの一例）を有し、赤外線センサ３１３によりカメラ３０Ａの撮像エリアでその人物を検知する。他のカメラ３０は、同様にスリープモード中に人物（例えば不審者ＳＵＳ）を検知可能な赤外線センサ３１３（第２のセンサの一例）を有し、赤外線センサ３１３によりその他のカメラ３０の撮像エリアでその人物を検知する。これにより、監視カメラシステム１００を構成するそれぞれのカメラ３０は、そのカメラ３０がスリープモード中であっても、最低限の動作として赤外線センサ３１３によって人物（例えば不審者）の検知を行えるので、電池３１４の駆動で構成されたとしても消費電力の増大を抑制して必要最小限な監視を行える。
【００７４】
また、アクセスポイント１０は、カメラ３０Ａから送られたカメラ３０Ａの撮像エリアの撮像映像の外部記録媒体１１１への記録を開始する。アクセスポイント１０は、他のカメラ３０から送られた、人物（例えば不審者ＳＵＳ）が検知された時点から所定時間前からバッファリングされた撮像映像を含む他のカメラ３０の撮像エリアの撮像映像の外部記録媒体１１１への記録を開始する。これにより、アクセスポイント１０は、他のカメラ３０（例えばカメラ３０Ｄ）が不審者ＳＵＳを検知した時点よりも前（言い換えると、不審者ＳＵＳがカメラ３０Ｄの撮像エリアに近づいてくる途中）の撮像映像のデータを記録（つまり、録画）できる。従って、アクセスポイント１０は、例えば不審者ＳＵＳがカメラ３０Ａの撮像エリアから個宅の敷地内を回り込んでカメラ３０Ｄの撮像エリアに近づいた時の行動を特定可能な撮像映像を保存でき、ユーザの個宅を監視エリアとした実効的な監視を効率的に行うことができる。
【００７５】
また、カメラ３０Ａは、人物（例えば不審者ＳＵＳ）を検知してから所定時間（第２の所定時間の一例）にわたってその人物を検知しなかった場合に、カメラ３０Ａの撮像エリアの撮像映像の記録停止指示（録画停止指示の一例）をアクセスポイント１０に送信する。アクセスポイント１０は、カメラ３０Ａから送られた記録停止指示に応じて、カメラ３０Ａの撮像エリアの撮像映像の外部記録媒体１１１への記録を停止する。これにより、アクセスポイント１０は、カメラ３０Ａから送信された録画停止指示（記録停止指示の一例）に応じて、カメラ３０Ａにより撮像された撮像映像のデータの外部記録媒体１１１への記録（つまり、録画）を停止できるので、例えば監視時において記録の必要性が低い状態（例えば無人状態）の撮像映像のデータの録画に基づく記録容量の増大や逼迫を効果的に抑制できる。
【００７６】
また、他のカメラ３０は、第２の撮像エリアを撮像するカメラ３０Ｄ（第２のカメラの一例）と、第３の撮像エリアを撮像するカメラ３０Ｂ（第３のカメラの一例）とを含む。アクセスポイント１０は、カメラ３０Ｄから送られた検知通知をカメラ３０Ｂに転送する。カメラ３０Ｂは、アクセスポイント１０から転送された検知通知に応じて、カメラ３０Ｂの撮像エリアの撮像映像のデータをバッファリングするためのバッファリング時間を延長してバッファリングを継続する。これにより、ユーザの個宅の外壁などに設置された他のカメラ（例えばカメラ３０Ｄ）において不審者ＳＵＳが新たに検知されたので、個宅の周囲に不審者ＳＵＳが未だ居残っている可能性があるため、カメラ３０Ｂは、未だ不審者ＳＵＳが撮像エリアに接近していないカメラ３０Ｂの撮像エリアに接近してきた場合でもその接近してくる様子の一部始終を撮像映像としてバッファリングしてアクセスポイント１０において録画させることができる。
【００７７】
また、他のカメラ３０は、アクセスポイント１０から送信された人物（例えば不審者ＳＵＳ）の検知通知を受信したことで撮像映像のデータのバッファリングを開始してから所定時間（第３の所定時間の一例）にわたってその人物を検知しなかった場合に、他のカメラ３０の撮像エリアの撮像映像のバッファリングを停止する。これにより、他のカメラ３０は、他のカメラ３０の周囲に誰もいない状態が一定時間続いているので、撮像映像のデータの無用なバッファリングを停止できてスリープモードに移行することで、他のカメラ３０における消費電力の増大を抑制できる。
【００７８】
以上、図面を参照しながら本開示に係る実施の形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、発明の趣旨を逸脱しない範囲において、上述した実施の形態における各構成要素を任意に組み合わせてもよい。
【００７９】
例えば上述した実施の形態において、アクセスポイント１０は、本開示に係る監視カメラシステムを構成する親機の一例として、監視カメラシステム１００を構成する個々のカメラ３０の動作モードを制御したり、個々のカメラ３０から送信された撮像映像のデータを記録（録画）したりする機能（以下、「親機機能」という）を有する。しかし、このような親機機能は、例えば監視カメラシステム１００を構成する複数台のカメラ３０のうちいずれかのカメラ３０が備えてもよい。この場合、監視カメラシステム１００は、図２に示すシステム構成において、アクセスポイント１０の構成を省略可能とでき、システム構成を一層簡易化できる。
【００８０】
また、例えば上述した実施の形態において、上述した親機機能（つまり、後述する録画機能、通知機能の両方）を、監視カメラシステム１００を構成する全てのカメラ３０が分担して行ってもよい。分担方法は、特に問わないが、例えば一定時間ごとにそれぞれのカメラ３０間において時分割で分担してもよいし、予め特定の複数のカメラ３０が順次交代で分担してもよい。この場合でも、監視カメラシステム１００は、図２に示すシステム構成において、アクセスポイント１０の構成を省略可能とできてシステム構成を一層簡易化でき、特定のカメラ３０にだけ親機機能を全て有することを回避できるため、その特定のカメラ３０における処理負荷や映像メモリ３１５の容量の増大を抑制できる。
【００８１】
また、親機機能（つまり、録画機能及び通知機能）自体を分担してもよい。その一例として、個々のカメラ３０が録画機能（言い換えると、自カメラが撮像した撮像映像のデータを記録する機能）をそれぞれ自身で備え、更に、他のカメラ３０への通知機能（つまり、動作モードをスリープモード又はスタンバイモードに移行する指示を通知する機能）を持ち回り的にそれぞれのカメラ３０間において時分割などで分担して行ってもよい。これにより、監視カメラシステム１００は、図２に示すシステム構成において、アクセスポイント１０の構成を省略可能とできてシステム構成を一層簡易化でき、特定のカメラ３０にだけ親機機能を全て有することを回避できるため、その特定のカメラ３０における処理負荷や映像メモリ３１５の容量の増大を抑制できる。
【産業上の利用可能性】
【００８２】
本開示は、複数台の監視カメラのそれぞれを常時動作させることなく、それぞれの監視カメラを監視の必要な時に起動するように制御し、監視カメラ全体の消費電力の低減を図りながらも実効的な監視を行って使い勝手を向上する監視カメラシステム及び監視方法として有用である。
【符号の説明】
【００８３】
１０  アクセスポイント
２０  ルータ
３０、３０Ａ、３０Ｂ、３０Ｃ、３０Ｄ  カメラ
５０  スマートフォン
１００  監視カメラシステム
１０１、３０９  制御部
１０３  有線ＬＡＮ通信Ｉ／Ｆ部
１０５  無線ＬＡＮ通信Ｉ／Ｆ部
１０７、３０５  操作部
１０９  ＬＥＤ
１１１  外部記録媒体
１１３  電源部
３０３  記憶部
３０４  音声入出力制御部
３０７  音声バス
３１２  撮像部
３１３  赤外線センサ
３１４  電池
３１５  映像メモリ
３１６  映像メモリ制御部
３２１  無線ＬＡＮ制御部
３２２  無線ＬＡＮ通信Ｉ／Ｆ部
３２８  マイク
３２９  スピーカ
ＳＵＳ  不審者
【図１】
2019054383.tif 000003
【図２】
2019054383.tif 000004
【図３】
2019054383.tif 000005
【図４】
2019054383.tif 000006
【図５Ａ】
2019054383.tif 000007
【図５Ｂ】
2019054383.tif 000008
【図６Ａ】
2019054383.tif 000009
【図６Ｂ】
2019054383.tif 000010